(57)【要約】  本発明は、データ伝送方法、装置及びコンピュータ記憶媒体を開示し、前記方法は、コアネットワーク要素が外部ネットワークにより送信されたデータを受信することと、前記アクセスネットワーク要素が第２の伝送リソースを介して前記データを前記第１のデバイスグループにおける端末に送信するように、前記コアネットワーク要素が前記データを第１の伝送リソースを介してアクセスネットワーク要素に送信することとを含み、ここで、前記データは、第１のデバイスグループに送信するデータであり、ここで、前記データは、前記コアネットワーク要素、前記アクセスネットワーク要素及び前記端末の間の制御プレーンにおいて伝送される。
2021510043.tif 000002
【特許請求の範囲】
【請求項１】
コアネットワーク要素が外部ネットワークにより送信されたデータを受信することと、
アクセスネットワーク要素が第２の伝送リソースを介して前記データを第１のデバイスグループにおける端末に送信するように、前記コアネットワーク要素が前記データを第１の伝送リソースを介して前記アクセスネットワーク要素に送信することとを含み、
前記データは、前記第１のデバイスグループに送信するデータであり、
前記データは、前記コアネットワーク要素、前記アクセスネットワーク要素及び前記端末の間の制御プレーンにおいて伝送される
ことを特徴とするデータ伝送方法。
【請求項２】
前記第１の伝送リソース及び／又は前記第２の伝送リソースが前記第１のデバイスグループの専用伝送リソースである場合、前記第１の伝送リソース及び／又は前記第２の伝送リソースのリソース属性で、前記データに対応するデバイスグループが前記第１のデバイスグループであることを指示する
ことを特徴とする請求項１に記載のデータ伝送方法。
【請求項３】
前記第１の伝送リソース及び／又は前記第２の伝送リソースは、物理層識別子、論理チャネル、ベアラ、サービス品質ＱｏＳフロー、プロトコルデータユニットＰＤＵセッション、ＩＰチャネル、ＧＰＲＳトンネリングプロトコルＧＴＰチャネルのうちの少なくとも１つのリソース属性を有する
ことを特徴とする請求項２に記載のデータ伝送方法。
【請求項４】
前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する
ことを特徴とする請求項１に記載のデータ伝送方法。
【請求項５】
前記データを伝送する時に前記第１のデバイスグループのグループ識別情報を含めて前記データに対応するデバイスグループが前記第１のデバイスグループであることを指示することは、
前記コアネットワーク要素が前記第１のデバイスグループのグループ識別情報を前記端末に対応する目標プロトコル層のＰＤＵにカプセル化し、前記ＰＤＵに前記データが含まれることを含む
ことを特徴とする請求項４に記載のデータ伝送方法。
【請求項６】
前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示することは、
前記コアネットワーク要素が前記第１のデバイスグループにおける端末の識別情報及び／又は端末のＰＤＵセッション情報及び／又は端末のサービス品質情報を前記端末に対応する目標プロトコル層のＰＤＵにカプセル化し、前記ＰＤＵに前記データが含まれることを含む
ことを特徴とする請求項４に記載のデータ伝送方法。
【請求項７】
前記目標プロトコル層は、ＮＡＳ層、ＡＳ層である
ことを特徴とする請求項５又は６に記載のデータ伝送方法。
【請求項８】
前記コアネットワーク要素が外部ネットワークにより送信されたデータを受信することは、
前記コアネットワーク要素が第３の伝送リソースを介して外部ネットワークにより送信されたデータを受信することを含み、
前記第３の伝送リソースが前記第１のデバイスグループの専用伝送リソースである
ことを特徴とする請求項１〜７のいずれか１項に記載のデータ伝送方法。
【請求項９】
前記外部ネットワークにより送信されたデータには、前記第１のデバイスグループのグループ識別情報又は前記第１のデバイスグループにおける端末識別情報及び／又は端末のＰＤＵセッション情報及び／又は端末のサービス品質情報が含まれる
ことを特徴とする請求項８に記載のデータ伝送方法。
【請求項１０】
前記第３の伝送リソースのリソース属性で、前記データに対応するデバイスグループが前記第１のデバイスグループであることを指示し、又は、
前記データに含まれる前記第１のデバイスグループのグループ識別情報で前記データに対応するデバイスグループが前記第１のデバイスグループであることを示し、又は、前記データに含まれる前記第１のデバイスグループにおける端末識別情報及び／又は端末のＰＤＵセッション情報及び／又は端末のサービス品質情報で、前記データに対応するデバイスグループが前記第１のデバイスグループであることを指示する
ことを特徴とする請求項８又は９に記載のデータ伝送方法。
【請求項１１】
前記コアネットワーク要素が前記データを第１の伝送リソースを介してアクセスネットワーク要素に送信することは、
前記コアネットワーク要素と前記アクセスネットワーク要素との間に前記第１のデバイスグループの専用伝送リソースが存在する場合、前記コアネットワーク要素が前記データを前記専用伝送リソースを介してアクセスネットワーク要素に送信することを含む
ことを特徴とする請求項１〜１０のいずれか１項に記載のデータ伝送方法。
【請求項１２】
前記コアネットワーク要素が前記データを第１の伝送リソースを介してアクセスネットワーク要素に送信することは、
前記コアネットワーク要素と前記アクセスネットワーク要素との間に前記第１のデバイスグループの専用伝送リソースが存在しない場合、前記コアネットワーク要素と前記アクセスネットワーク要素との間に前記第１のデバイスグループの専用伝送リソースを確立することと、
前記コアネットワーク要素が前記データを前記専用伝送リソースを介してアクセスネットワーク要素に送信することとを含む
ことを特徴とする請求項１〜１０のいずれか１項に記載のデータ伝送方法。
【請求項１３】
前記コアネットワーク要素と前記アクセスネットワーク要素との間に前記第１のデバイスグループの専用伝送リソースを確立することは、
前記コアネットワーク要素が前記第１のデバイスグループのグループ情報に基づいて、前記アクセスネットワーク要素との前記第１のデバイスグループの専用伝送リソースを確立することを含む
ことを特徴とする請求項１２に記載のデータ伝送方法。
【請求項１４】
第１のデバイスグループのグループ情報は、ＰＤＵセッション情報、ＱｏＳフロー情報、ＱｏＳ情報、コアネットワークアドレス情報、グループ識別情報、ＩＰチャネル、ＧＴＰチャネルのうちの少なくとも１つを含む
ことを特徴とする請求項１３に記載のデータ伝送方法。
【請求項１５】
前記コアネットワーク要素が前記データを第１の伝送リソースを介してアクセスネットワーク要素に送信することは、
前記コアネットワーク要素と前記アクセスネットワーク要素との間に共通伝送リソースが存在する場合、前記コアネットワーク要素が前記データを前記共通伝送リソースを介してアクセスネットワーク要素に送信することを含み、
前記データには、前記第１のデバイスグループのグループ識別情報又は第１のデバイスグループにおける端末の識別情報及び／又は端末のＰＤＵセッション情報及び／又は端末のサービス品質情報が含まれる
ことを特徴とする請求項１〜１０のいずれか１項に記載のデータ伝送方法。
【請求項１６】
前記コアネットワーク要素と前記アクセスネットワーク要素との間に前記第１のデバイスグループの専用伝送リソースが存在せず、共通伝送リソースが存在する場合、前記コアネットワーク要素が前記データを前記共通伝送リソースを介してアクセスネットワーク要素に送信する
ことを特徴とする請求項１５に記載のデータ伝送方法。
【請求項１７】
アクセスネットワーク要素が第１の伝送リソースを介してコアネットワーク要素により送信されたデータを受信することと、
前記アクセスネットワーク要素が第２の伝送リソースを介して前記データを第１のデバイスグループにおける端末に送信することとを含み、
前記データは、前記第１のデバイスグループに送信するデータであり、
前記データは、前記コアネットワーク要素、前記アクセスネットワーク要素及び前記端末の間の制御プレーンにおいて伝送される
ことを特徴とするデータ伝送方法。
【請求項１８】
前記第１の伝送リソース及び／又は前記第２の伝送リソースが前記第１のデバイスグループの専用伝送リソースである場合、前記第１の伝送リソース及び／又は前記第２の伝送リソースのリソース属性で、前記データに対応するデバイスグループが前記第１のデバイスグループであることを指示する
ことを特徴とする請求項１７に記載のデータ伝送方法。
【請求項１９】
前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する
ことを特徴とする請求項１８に記載のデータ伝送方法。
【請求項２０】
前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する
ことを特徴とする請求項１７に記載のデータ伝送方法。
【請求項２１】
前記アクセスネットワーク要素が第２の伝送リソースを介して前記データを前記第１のデバイスグループにおける端末に送信することは、
前記アクセスネットワーク要素と前記端末との間に前記第１のデバイスグループの専用伝送リソースが存在する場合、前記アクセスネットワーク要素が前記専用伝送リソースを介して前記データを前記第１のデバイスグループにおける端末に送信することを含む
ことを特徴とする請求項１７〜２０のいずれか１項に記載のデータ伝送方法。
【請求項２２】
前記アクセスネットワーク要素が第２の伝送リソースを介して前記データを前記第１のデバイスグループにおける端末に送信することは、
前記アクセスネットワーク要素と前記端末との間に共通伝送リソースが存在する場合、前記アクセスネットワーク要素が前記共通伝送リソースを介して前記データを前記第１のデバイスグループにおける端末に送信することを含み、
前記データには、前記第１のデバイスグループのグループ識別情報又は前記第１のデバイスグループにおける端末識別情報及び／又は端末のＰＤＵセッション情報及び／又は端末のサービス品質情報が含まれる
ことを特徴とする請求項１７〜２０のいずれか１項に記載のデータ伝送方法。
【請求項２３】
端末が第２の伝送リソースを介してアクセスネットワーク要素により送信されたデータを受信することと、
前記端末が、前記データに対応するデバイスグループが第１のデバイスグループであることを識別することとを含み、
前記データは、前記第１のデバイスグループに送信するデータであり、
前記データは、前記アクセスネットワーク要素と前記端末との制御プレーンにおいて伝送される
ことを特徴とするデータ伝送方法。
【請求項２４】
前記端末が、前記データに対応するデバイスグループが前記第１のデバイスグループであることを識別することは、
前記第２の伝送リソースが専用伝送リソースである場合、前記端末が前記第２の伝送リソースのリソース属性で、前記データに対応するデバイスグループが前記第１のデバイスグループであることを識別することを含む
ことを特徴とする請求項２３に記載のデータ伝送方法。
【請求項２５】
前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する
ことを特徴とする請求項２４に記載のデータ伝送方法。
【請求項２６】
前記端末が、前記データに対応するデバイスグループが前記第１のデバイスグループであることを識別することは、
前記第２の伝送リソースが共通伝送リソースである場合、前記端末が前記データに含まれる前記第１のデバイスグループのグループ識別情報で、前記データに対応するデバイスグループが前記第１のデバイスグループであることを識別し、又は、前記データに含まれる前記第１のデバイスグループにおける端末の識別情報及び／又は端末のプロトコルデータユニットＰＤＵセッション情報及び／又は端末のサービス品質情報で、前記データに対応するデバイスグループが前記第１のデバイスグループであることを識別することを含む
ことを特徴とする請求項２３に記載のデータ伝送方法。
【請求項２７】
受信ユニットと、送信ユニットとを備え、コアネットワーク要素に応用されるデータ伝送装置であって、
受信ユニットは、外部ネットワークにより送信されたデータを受信するように構成され、前記データは、第１のデバイスグループに送信するデータであり、
送信ユニットは、前記アクセスネットワーク要素が第２の伝送リソースを介して前記データを前記第１のデバイスグループにおける端末に送信するように、前記データを第１の伝送リソースを介してアクセスネットワーク要素に送信するように構成され、
前記データは、前記コアネットワーク要素、前記アクセスネットワーク要素及び前記端末の間の制御プレーンにおいて伝送される
ことを特徴とするデータ伝送装置。
【請求項２８】
前記第１の伝送リソース及び／又は前記第２の伝送リソースが前記第１のデバイスグループの専用伝送リソースである場合、前記第１の伝送リソース及び／又は前記第２の伝送リソースのリソース属性で、前記データに対応するデバイスグループが前記第１のデバイスグループであることを指示する
ことを特徴とする請求項２７に記載のデータ伝送装置。
【請求項２９】
前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する
ことを特徴とする請求項２８に記載のデータ伝送装置。
【請求項３０】
前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する
ことを特徴とする請求項２７に記載のデータ伝送装置。
【請求項３１】
前記装置がさらにカプセルユニットを含み、
カプセルユニットは、前記第１のデバイスグループのグループ識別情報を前記端末に対応する目標プロトコル層のＰＤＵにカプセル化するように構成され、前記ＰＤＵに前記データが含まれる
ことを特徴とする請求項３０に記載のデータ伝送装置。
【請求項３２】
前記装置がさらにカプセルユニットを含み、
カプセルユニットは、前記第１のデバイスグループにおける端末の識別情報及び／又は端末のＰＤＵセッション情報及び／又は端末のサービス品質情報を前記端末に対応する目標プロトコル層のＰＤＵにカプセル化するように構成され、前記ＰＤＵに前記データが含まれる
ことを特徴とする請求項３０に記載のデータ伝送装置。
【請求項３３】
前記目標プロトコル層は、ＮＡＳ層、ＡＳ層である
ことを特徴とする請求項３１又は３２に記載のデータ伝送装置。
【請求項３４】
前記受信ユニットは、第３の伝送リソースを介して外部ネットワークにより送信されたデータを受信するように構成され、
前記第３の伝送リソースが前記第１のデバイスグループの専用伝送リソースである
ことを特徴とする請求項２７〜３３のいずれか１項に記載のデータ伝送装置。
【請求項３５】
前記外部ネットワークにより送信されたデータには、前記第１のデバイスグループのグループ識別情報又は前記第１のデバイスグループにおける端末識別情報及び／又は端末のＰＤＵセッション情報及び／又は端末のサービス品質情報が含まれる
ことを特徴とする請求項３４に記載のデータ伝送装置。
【請求項３６】
前記第３の伝送リソースのリソース属性で前記データに対応するデバイスグループが前記第１のデバイスグループであることを指示し、又は、
前記データに含まれる前記第１のデバイスグループのグループ識別情報で前記データに対応するデバイスグループが前記第１のデバイスグループであることを示し、又は、前記データに含まれる前記第１のデバイスグループにおける端末識別情報及び／又は端末のＰＤＵセッション情報及び／又は端末のサービス品質情報で前記データに対応するデバイスグループが前記第１のデバイスグループであることを指示する
ことを特徴とする請求項３４又は３５に記載のデータ伝送装置。
【請求項３７】
前記コアネットワーク要素と前記アクセスネットワーク要素との間に前記第１のデバイスグループの専用伝送リソースが存在する場合、前記送信ユニットが前記データを前記専用伝送リソースを介してアクセスネットワーク要素に送信する
ことを特徴とする請求項２７〜３６のいずれか１項に記載のデータ伝送装置。
【請求項３８】
前記装置がさらに確立ユニットを含み、
前記確立ユニットは、前記コアネットワーク要素と前記アクセスネットワーク要素との間に前記第１のデバイスグループの専用伝送リソースが存在しない場合、前記アクセスネットワーク要素と前記第１のデバイスグループの専用伝送リソースを確立するように構成され、
前記送信ユニットは、前記データを前記専用伝送リソースを介してアクセスネットワーク要素に送信するように構成される
ことを特徴とする請求項２７〜３６のいずれか１項に記載のデータ伝送装置。
【請求項３９】
前記確立ユニットは、前記第１のデバイスグループのグループ情報に基づいて、前記アクセスネットワーク要素との前記第１のデバイスグループの専用伝送リソースを確立するように構成される
ことを特徴とする請求項３８に記載のデータ伝送装置。
【請求項４０】
第１のデバイスグループのグループ情報は、ＰＤＵセッション情報、ＱｏＳフロー情報、ＱｏＳ情報、コアネットワークアドレス情報、グループ識別情報、ＩＰチャネル、ＧＴＰチャネルのうちの少なくとも１つを含む
ことを特徴とする請求項３９に記載のデータ伝送装置。
【請求項４１】
前記コアネットワーク要素と前記アクセスネットワーク要素との間に共通伝送リソースが存在する場合、前記送信ユニットが前記データを前記共通伝送リソースを介してアクセスネットワーク要素に送信し、
前記データには、前記第１のデバイスグループのグループ識別情報又は第１のデバイスグループにおける端末の識別情報及び／又は端末のＰＤＵセッション情報及び／又は端末のサービス品質情報が含まれる
ことを特徴とする請求項２７〜３６のいずれか１項に記載のデータ伝送装置。
【請求項４２】
前記コアネットワーク要素と前記アクセスネットワーク要素との間に前記第１のデバイスグループの専用伝送リソースが存在せず、共通伝送リソースが存在する場合、前記送信ユニットが前記データを前記共通伝送リソースを介してアクセスネットワーク要素に送信するように構成される
ことを特徴とする請求項４１に記載のデータ伝送装置。
【請求項４３】
受信ユニットと、送信ユニットとを備え、アクセスネットワーク要素に応用されるデータ伝送装置であって、
前記受信ユニットは、第１の伝送リソースを介してコアネットワーク要素により送信されたデータを受信するように構成され、ここで、前記データは、第１のデバイスグループに送信するデータであり、
前記送信ユニットは、第２の伝送リソースを介して前記データを前記第１のデバイスグループにおける端末に送信するように構成される、
前記データは、前記コアネットワーク要素、前記アクセスネットワーク要素及び前記端末の間の制御プレーンにおいて伝送される
ことを特徴とするデータ伝送装置。
【請求項４４】
前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する
ことを特徴とする請求項４３に記載のデータ伝送装置。
【請求項４５】
前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する
ことを特徴とする請求項４４に記載のデータ伝送装置。
【請求項４６】
前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する
ことを特徴とする請求項４３に記載のデータ伝送装置。
【請求項４７】
前記アクセスネットワーク要素と前記端末との間に前記第１のデバイスグループの専用伝送リソースが存在する場合、前記送信ユニットが前記専用伝送リソースを介して前記データを前記第１のデバイスグループにおける端末に送信するように構成される
ことを特徴とする請求項４３〜４６のいずれか１項に記載のデータ伝送装置。
【請求項４８】
前記アクセスネットワーク要素と前記端末との間に共通伝送リソースが存在する場合、前記送信ユニットが前記共通伝送リソースを介して前記データを前記第１のデバイスグループにおける端末に送信するように構成され、
前記データには、前記第１のデバイスグループのグループ識別情報又は第１のデバイスグループにおける端末の識別情報及び／又は端末のＰＤＵセッション情報及び／又は端末のサービス品質情報が含まれる
ことを特徴とする請求項４３〜４６のいずれか１項に記載のデータ伝送装置。
【請求項４９】
受信ユニットと、識別ユニットとを備え、端末に応用されるデータ伝送装置であって、
受信ユニットは、第２の伝送リソースを介してアクセスネットワーク要素により送信されたデータを受信するように構成され、前記データは、第１のデバイスグループに送信するデータであり、
識別ユニットは、前記データに対応するデバイスグループが前記第１のデバイスグループであることを識別するように構成され、
前記データは、前記アクセスネットワーク要素と前記端末との制御プレーンにおいて伝送される
ことを特徴とするデータ伝送装置。
【請求項５０】
前記第２の伝送リソースが専用伝送リソースである場合、前記識別ユニットが前記第２の伝送リソースのリソース属性で前記データに対応するデバイスグループが前記第１のデバイスグループであることを識別する
ことを特徴とする請求項４９に記載のデータ伝送装置。
【請求項５１】
前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する
ことを特徴とする請求項５０に記載のデータ伝送装置。
【請求項５２】
前記第２の伝送リソースが共通伝送リソースである場合、前記識別ユニットが前記データに含まれる前記第１のデバイスグループのグループ識別情報で、前記データに対応するデバイスグループが前記第１のデバイスグループであることを識別し、又は、前記データに含まれる前記第１のデバイスグループにおける端末の識別情報及び／又は端末のプロトコルデータユニットＰＤＵセッション情報及び／又は端末のサービス品質情報で、前記データに対応するデバイスグループが前記第１のデバイスグループであることを識別する
ことを特徴とする請求項４９に記載のデータ伝送装置。
【請求項５３】
プロセッサによって実行されると、請求項１〜１６のいずれか１項に記載の方法ステップ、または請求項１７〜２２のいずれか１項に記載の方法ステップ、または請求項２３〜２６のいずれか１項に記載の方法のステップを実現するコンピュータ実行可能命令を記憶した
ことを特徴とするコンピュータ記憶媒体。
【発明の詳細な説明】
【技術分野】
【０００１】
本発明は、無線通信技術分野に関し、特に、データ伝送方法、装置及びコンピュータ記憶媒体に関する。
【背景技術】
【０００２】
将来のネットワークでは、大量のモノのインターネット( ＩｏＴ、Ｉｎｔｅｒｎｅｔ ｏｆ Ｔｈｉｎｇｓ )デバイスが存在し得る。既存のプロトコルでは、ウェアラブルデバイスまたはスマート家具デバイスなどのモノのネットワーキングデバイスは、通常、主人のスマートフォンに接続され、この接続は、サイドリンクインターフェースなどの２つの間の直接インターフェースを介して直接接続され得る。ネットワークが端末のグループ（例えば、ウェアラブルデバイス＋スマートフォン）へのメッセージを送信する必要がある場合、現在の方式では、各端末へのデータ送信が採用され、リソースの浪費が深刻になる。
【発明の概要】
【０００３】
本発明の実施例は、上記の課題を解決するために、データ伝送方法、装置及びコンピュータ記憶媒体を提供する。
【０００４】
本願の実施例に係るデータ伝送方法は、
コアネットワーク要素が外部ネットワークにより送信されたデータを受信することと、
前記アクセスネットワーク要素が第２の伝送リソースを介して前記データを前記第１のデバイスグループにおける端末に送信するように、前記コアネットワーク要素が前記データを第１の伝送リソースを介してアクセスネットワーク要素に送信することとを含み、
ここで、前記データは、第１のデバイスグループに送信するデータであり、
ここで、前記データは、前記コアネットワーク要素、前記アクセスネットワーク要素及び前記端末の間の制御プレーンにおいて伝送される。
【０００５】
本発明の実施例において、前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する。
【０００６】
本発明の実施例において、前記第１の伝送リソース及び／又は前記第２の伝送リソースは、物理層識別子、論理チャネル、ベアラ、サービス品質（ＱｏＳ、Ｑｕａｌｉｔｙ ｏｆ Ｓｅｒｖｉｃｅ）フロー、プロトコルデータユニット（ＰＤＵ、Ｐｒｏｔｏｃｏｌ Ｄａｔａ Ｕｎｉｔ）セッション、ＩＰチャネル、ＧＰＲＳトンネルプロトコル（ＧＴＰ、ＧＰＲＳ Ｔｕｎｎｅｌｌｉｎｇ Ｐｒｏｔｏｃｏｌ）チャネルのうちの少なくとも１つリソース属性を含む。
【０００７】
本発明の実施例において、前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のＰＤＵセッション情報及び／又は端末のサービス品質情報を含めて前記データに対応するデバイスグループが前記第１のデバイスグループであることを指示する。
【０００８】
本発明の実施例において、前記データを伝送する時に前記第１のデバイスグループのグループ識別情報を含めて前記データに対応するデバイスグループが前記第１のデバイスグループであることを指示することは、
前記コアネットワーク要素が前記第１のデバイスグループのグループ識別情報を前記端末に対応する目標プロトコル層のＰＤＵにカプセル化し、前記ＰＤＵに前記データが含まれることを含む。
【０００９】
本発明の実施例において、前記データを伝送する時に前記第１のデバイスグループにおける端末の識別情報及び／又は端末のＰＤＵセッション情報及び／又は端末のサービス品質情報を含めて、前記データに対応するデバイスグループが前記第１のデバイスグループであることを指示することは、
前記コアネットワーク要素が前記第１のデバイスグループにおける端末の識別情報及び／又は端末のＰＤＵセッション情報及び／又は端末のサービス品質情報を前記端末に対応する目標プロトコル層のＰＤＵにカプセル化し、前記ＰＤＵに前記データが含まれることを含む。
【００１０】
本発明の実施例において、前記目標プロトコル層は、ＮＡＳ層、ＡＳ層である。
【００１１】
本発明の実施例において、前記コアネットワーク要素が外部ネットワークにより送信されたデータを受信することは、
前記コアネットワーク要素が第３の伝送リソースを介して外部ネットワークにより送信されたデータを受信することを含み、ここで、前記第３の伝送リソースが前記第１のデバイスグループの専用伝送リソースである。
【００１２】
本発明の実施例において、前記外部ネットワークにより送信されたデータには、前記第１のデバイスグループのグループ識別情報又は前記第１のデバイスグループにおける端末識別情報及び／又は端末のＰＤＵセッション情報及び／又は端末のサービス品質情報が含まれる。
【００１３】
本発明の実施例において、前記第３の伝送リソースのリソース属性で前記データに対応するデバイスグループが前記第１のデバイスグループであることを指示し、又は、
前記データに含まれる前記第１のデバイスグループのグループ識別情報で前記データに対応するデバイスグループが前記第１のデバイスグループであることを示し、又は、前記データに含まれる前記第１のデバイスグループにおける端末識別情報及び／又は端末のＰＤＵセッション情報及び／又は端末のサービス品質情報で前記データに対応するデバイスグループが前記第１のデバイスグループであることを指示する。
【００１４】
本発明の実施例において、前記コアネットワーク要素が前記データを第１の伝送リソースを介してアクセスネットワーク要素に送信することは、
前記コアネットワーク要素と前記アクセスネットワーク要素との間に前記第１のデバイスグループの専用伝送リソースが存在する場合、前記コアネットワーク要素が前記データを前記専用伝送リソースを介してアクセスネットワーク要素に送信することを含む。
【００１５】
本発明の実施例において、前記コアネットワーク要素が前記データを第１の伝送リソースを介してアクセスネットワーク要素に送信することは、
前記コアネットワーク要素と前記アクセスネットワーク要素との間に前記第１のデバイスグループの専用伝送リソースが存在しない場合、前記コアネットワーク要素と前記アクセスネットワーク要素との間に前記第１のデバイスグループの専用伝送リソースを確立することと、
前記コアネットワーク要素が前記データを前記専用伝送リソースを介してアクセスネットワーク要素に送信することとを含む。
【００１６】
本発明の実施例において、前記コアネットワーク要素と前記アクセスネットワーク要素との間に前記第１のデバイスグループの専用伝送リソースを確立することは、
前記コアネットワーク要素が前記第１のデバイスグループのグループ情報に基づいて、前記アクセスネットワーク要素との前記第１のデバイスグループの専用伝送リソースを確立することを含む。
【００１７】
本発明の実施例において、第１のデバイスグループのグループ情報は、ＰＤＵセッション情報、ＱｏＳフロー情報、ＱｏＳ情報、コアネットワークアドレス情報、グループ識別情報、ＩＰチャネル、ＧＴＰチャネルのうちの少なくとも１つを含む。
【００１８】
本発明の実施例において、前記コアネットワーク要素が前記データを第１の伝送リソースを介してアクセスネットワーク要素に送信することは、
前記コアネットワーク要素と前記アクセスネットワーク要素との間に共通伝送リソースが存在する場合、前記コアネットワーク要素が前記データを前記共通伝送リソースを介してアクセスネットワーク要素に送信することを含み、ここで、前記データには、前記第１のデバイスグループのグループ識別情報又は第１のデバイスグループにおける端末の識別情報及び／又は端末のＰＤＵセッション情報及び／又は端末のサービス品質情報が含まれる。
【００１９】
本発明の実施例において、前記コアネットワーク要素と前記アクセスネットワーク要素との間に前記第１のデバイスグループの専用伝送リソースが存在せず、共通伝送リソースが存在する場合、前記コアネットワーク要素が前記データを前記共通伝送リソースを介してアクセスネットワーク要素に送信する。
【００２０】
本発明の実施例に係るデータ伝送方法は、
アクセスネットワーク要素が第１の伝送リソースを介してコアネットワーク要素により送信されたデータを受信することと、
前記アクセスネットワーク要素が第２の伝送リソースを介して前記データを前記第１のデバイスグループにおける端末に送信することとを含み、
ここで、前記データは、第１のデバイスグループに送信するデータであり、
ここで、前記データは、前記コアネットワーク要素、前記アクセスネットワーク要素及び前記端末の間の制御プレーンにおいて伝送される。
【００２１】
本発明の実施例において、前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する。
【００２２】
本発明の実施例において、前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００２３】
本発明の実施例において、前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する。
【００２４】
本発明の実施例において、前記アクセスネットワーク要素が第２の伝送リソースを介して前記データを前記第１のデバイスグループにおける端末に送信することは、
前記アクセスネットワーク要素と前記端末との間に前記第１のデバイスグループの専用伝送リソースが存在する場合、前記アクセスネットワーク要素が前記専用伝送リソースを介して前記データを前記第１のデバイスグループにおける端末に送信することを含む。
【００２５】
本発明の実施例において、前記アクセスネットワーク要素が第２の伝送リソースを介して前記データを前記第１のデバイスグループにおける端末に送信することは、
前記アクセスネットワーク要素と前記端末との間に共通伝送リソースが存在する場合、前記アクセスネットワーク要素が前記共通伝送リソースを介して前記データを前記第１のデバイスグループにおける端末に送信することを含み、ここで、前記データには、前記第１のデバイスグループのグループ識別情報又は第１のデバイスグループにおける端末の識別情報及び／又は端末のＰＤＵセッション情報及び／又は端末のサービス品質情報が含まれる。
【００２６】
本発明の実施例に係るデータ伝送方法は、
端末が第２の伝送リソースを介してアクセスネットワーク要素により送信されたデータを受信することと、
前記端末が、前記データに対応するデバイスグループが前記第１のデバイスグループであることを識別することとを含み、
ここで、前記データは、第１のデバイスグループに送信するデータであり、
ここで、前記データは、前記アクセスネットワーク要素と前記端末との制御プレーンにおいて伝送される。
【００２７】
本発明の実施例において、前記端末が、前記データに対応するデバイスグループが前記第１のデバイスグループであることを識別することは、
前記第２の伝送リソースが専用伝送リソースである場合、前記端末が前記第２の伝送リソースのリソース属性で前記データに対応するデバイスグループが前記第１のデバイスグループであることを識別することを含む。
【００２８】
本発明の実施例において、前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００２９】
本発明の実施例において、前記端末が、前記データに対応するデバイスグループが前記第１のデバイスグループであることを識別することは、
前記第２の伝送リソースが共通伝送リソースである場合、前記端末が前記データに含まれる前記第１のデバイスグループのグループ識別情報で前記データに対応するデバイスグループが前記第１のデバイスグループであることを識別し、又は、前記データに含まれる前記第１のデバイスグループにおける端末の識別情報及び／又は端末のプロトコルデータユニットＰＤＵセッション情報及び／又は端末のサービス品質情報で、前記データに対応するデバイスグループが前記第１のデバイスグループであることを識別することを含む。
【００３０】
本発明の実施例に係るデータ伝送装置は、コアネットワーク要素に応用され、前記装置は、受信ユニットと、送信ユニットとを備え、
受信ユニットは、外部ネットワークにより送信されたデータを受信するように構成され、ここで、前記データは、第１のデバイスグループに送信するデータであり、
送信ユニットは、前記アクセスネットワーク要素が第２の伝送リソースを介して前記データを前記第１のデバイスグループにおける端末に送信するように、前記データを第１の伝送リソースを介してアクセスネットワーク要素に送信するように構成され、
ここで、前記データは、前記コアネットワーク要素、前記アクセスネットワーク要素及び前記端末の間の制御プレーンにおいて伝送される。
【００３１】
本発明の実施例において、前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する。
【００３２】
本発明の実施例において、前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００３３】
本発明の実施例において、前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する。
【００３４】
本発明の実施例において、前記装置は、さらに、カプセルユニットを含み、
カプセルユニットは、前記第１のデバイスグループのグループ識別情報を前記端末に対応する目標プロトコル層のＰＤＵにカプセル化するように構成され、前記ＰＤＵに前記データが含まれる。
【００３５】
本発明の実施例において、前記装置は、さらに、カプセルユニットを含み、
カプセルユニットは、前記第１のデバイスグループにおける端末の識別情報及び／又は端末のＰＤＵセッション情報及び／又は端末のサービス品質情報を前記端末に対応する目標プロトコル層のＰＤＵにカプセル化するように構成され、前記ＰＤＵに前記データが含まれる。
【００３６】
本発明の実施例において、前記目標プロトコル層は、ＮＡＳ層、ＡＳ層である。
【００３７】
本発明の実施例において、前記受信ユニットは、第３の伝送リソースを介して外部ネットワークにより送信されたデータを受信するように構成され、ここで、前記第３の伝送リソースが前記第１のデバイスグループの専用伝送リソースである。
【００３８】
本発明の実施例において、前記外部ネットワークにより送信されたデータには、前記第１のデバイスグループのグループ識別情報又は前記第１のデバイスグループにおける端末識別情報及び／又は端末のＰＤＵセッション情報及び／又は端末のサービス品質情報が含まれる。
【００３９】
本発明の実施例において、前記第３の伝送リソースのリソース属性で前記データに対応するデバイスグループが前記第１のデバイスグループであることを指示し、又は、
前記データに含まれる前記第１のデバイスグループのグループ識別情報で前記データに対応するデバイスグループが前記第１のデバイスグループであることを示し、又は、前記データに含まれる前記第１のデバイスグループにおける端末識別情報及び／又は端末のＰＤＵセッション情報及び／又は端末のサービス品質情報で前記データに対応するデバイスグループが前記第１のデバイスグループであることを指示する。
【００４０】
本発明の実施例において、前記コアネットワーク要素と前記アクセスネットワーク要素との間に前記第１のデバイスグループの専用伝送リソースが存在する場合、前記送信ユニットが前記データを前記専用伝送リソースを介してアクセスネットワーク要素に送信する。
【００４１】
本発明の実施例において、前記装置は、さらに、確立ユニットを含み、
確立ユニットは、前記コアネットワーク要素と前記アクセスネットワーク要素との間に前記第１のデバイスグループの専用伝送リソースが存在しない場合、前記アクセスネットワーク要素と前記第１のデバイスグループの専用伝送リソースを確立するように構成され、
前記送信ユニットは、前記データを前記専用伝送リソースを介してアクセスネットワーク要素に送信するように構成される。
【００４２】
本発明の実施例において、前記確立ユニットは、前記第１のデバイスグループのグループ情報に基づいて、前記アクセスネットワーク要素との前記第１のデバイスグループの専用伝送リソースを確立するように構成される。
【００４３】
本発明の実施例において、第１のデバイスグループのグループ情報は、ＰＤＵセッション情報、ＱｏＳフロー情報、ＱｏＳ情報、コアネットワークアドレス情報、グループ識別情報、ＩＰチャネル、ＧＴＰチャネルのうちの少なくとも１つを含む。
【００４４】
本発明の実施例において、前記コアネットワーク要素と前記アクセスネットワーク要素との間に共通伝送リソースが存在する場合、前記送信ユニットが前記データを前記共通伝送リソースを介してアクセスネットワーク要素に送信し、ここで、前記データには、前記第１のデバイスグループのグループ識別情報又は第１のデバイスグループにおける端末の識別情報及び／又は端末のＰＤＵセッション情報及び／又は端末のサービス品質情報が含まれる。
【００４５】
本発明の実施例において、前記コアネットワーク要素と前記アクセスネットワーク要素との間に前記第１のデバイスグループの専用伝送リソースが存在せず、共通伝送リソースが存在する場合、前記送信ユニットが前記データを前記共通伝送リソースを介してアクセスネットワーク要素に送信するように構成される。
【００４６】
本発明の実施例に係るデータ伝送装置は、アクセスネットワーク要素に応用され、前記装置は、受信ユニットと、送信ユニットとを備え、
受信ユニットは、第１の伝送リソースを介してコアネットワーク要素により送信されたデータを受信するように構成され、ここで、前記データは、第１のデバイスグループに送信するデータであり、
送信ユニットは、第２の伝送リソースを介して前記データを前記第１のデバイスグループにおける端末に送信するように構成され、
ここで、前記データは、前記コアネットワーク要素、前記アクセスネットワーク要素及び前記端末の間の制御プレーンにおいて伝送される。
【００４７】
本発明の実施例において、前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する。
【００４８】
本発明の実施例において、前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００４９】
本発明の実施例において、前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する。
【００５０】
本発明の実施例において、前記アクセスネットワーク要素と前記端末との間に前記第１のデバイスグループの専用伝送リソースが存在する場合、前記送信ユニットが前記専用伝送リソースを介して前記データを前記第１のデバイスグループにおける端末に送信するように構成される。
【００５１】
本発明の実施例において、前記アクセスネットワーク要素と前記端末との間に共通伝送リソースが存在する場合、前記送信ユニットが前記共通伝送リソースを介して前記データを前記第１のデバイスグループにおける端末に送信するように構成され、ここで、前記データには、前記第１のデバイスグループのグループ識別情報又は第１のデバイスグループにおける端末の識別情報及び／又は端末のＰＤＵセッション情報及び／又は端末のサービス品質情報が含まれる。
【００５２】
本発明の実施例に係るデータ伝送装置は、端末に応用され、前記装置は、受信ユニットと、識別ユニットとを備え、
受信ユニットは、第２の伝送リソースを介してアクセスネットワーク要素により送信されたデータを受信するように構成され、ここで、前記データは、第１のデバイスグループに送信するデータであり、
識別ユニットは、前記データに対応するデバイスグループが前記第１のデバイスグループであることを識別するように構成され、
ここで、前記データは、前記アクセスネットワーク要素と前記端末との制御プレーンにおいて伝送される。
【００５３】
本発明の実施例において、前記第２の伝送リソースが専用伝送リソースである場合、前記識別ユニットが前記第２の伝送リソースのリソース属性で前記データに対応するデバイスグループが前記第１のデバイスグループであることを識別する。
【００５４】
本発明の実施例において、前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００５５】
本発明の実施例において、前記第２の伝送リソースが共通伝送リソースである場合、前記識別ユニットが前記データに含まれる前記第１のデバイスグループのグループ識別情報で、前記データに対応するデバイスグループが前記第１のデバイスグループであることを識別し、又は、前記データに含まれる前記第１のデバイスグループにおける端末の識別情報及び／又は端末のプロトコルデータユニットＰＤＵセッション情報及び／又は端末のサービス品質情報で、前記データに対応するデバイスグループが前記第１のデバイスグループであることを識別することを含む。
【００５６】
本発明の実施例は、プロセッサによって実行されると、上記のデータ伝送方法を実現するコンピュータ実行可能命令を記憶したコンピュータ記憶媒体を提供する。
【００５７】
本発明の実施例に係る技術案において、コアネットワーク要素が外部ネットワークにより送信されたデータを受信し、ここで、前記データは、第１のデバイスグループに送信するデータであり、前記アクセスネットワーク要素が第２の伝送リソースを介して前記データを前記第１のデバイスグループにおける端末に送信するように、前記コアネットワーク要素が前記データを第１の伝送リソースを介してアクセスネットワーク要素に送信し、ここで、前記データは、前記コアネットワーク要素、前記アクセスネットワーク要素及び前記端末の間の制御プレーンにおいて伝送される。
【００５８】
本発明の実施例に係る技術案によれば、ネットワークが１つのデバイスグループにデータを送信する必要がある場合に、デバイスグループのグループデータを制御プレーン上で伝送することにより、デバイスグループの各端末にデータを送信する必要がなく、リソースの浪費を回避することができる。
【図面の簡単な説明】
【００５９】
本明細書に記載された図面は、本発明の更なる理解を提供するために提供されたものであり、本願の一部を構成し、本発明の例示的な実施例及びその説明は、本発明を説明するためのものであり、本発明を限定するものではない。
【図１】本発明の実施例における５Ｇネットワークのシステムアーキテクチャ構成図である。
【図２】本発明の実施例における４Ｇネットワークのシステムアーキテクチャ構成図である。
【図３】本発明の実施例におけるデータ伝送方法のフローチャートである一である。
【図４】本発明の実施例におけるユーザプレーン伝送経路の模式図である。
【図５】本発明の実施例におけるデータ伝送方法のフローチャートである二である。
【図６】本発明の実施例におけるデータ伝送方法のフローチャートである三である。
【図７】本発明の実施例におけるデータ伝送装置の構成の模式図一である。
【図８】本発明の実施例におけるデータ伝送装置の構成の模式図二である。
【図９】本発明の実施例におけるデータ伝送装置の構成の模式図三である。
【図１０】本発明の実施例におけるコンピュータデバイスの構成図である。
【発明を実施するための形態】
【００６０】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００６１】
図１は、本発明の実施例に係る５Ｇネットワークのシステムアーキテクチャを示す図であり、図１に示されるように、５Ｇネットワークシステムに含まれるデバイスは、 
端末( ＵＥ、Ｕｓｅｒ Ｅｑｕｉｐｍｅｎｔ )、無線アクセス網( ＲＡＮ、Ｒａｄｉｏ Ａｃｃｅｓｓ Ｎｅｔｗｏｒｋ )、ユーザプレーン機能( ＵＰＦ、Ｕｓｅｒ Ｐｌａｎｅ Ｆｕｎｃｔｉｏｎ )、データネットワーク( ＤＮ、Ｄａｔａ Ｎｅｔｗｏｒｋ )、受信コアアクセス＆モビリティ管理( ＡＭＦ、Ｃｏｒｅ Ａｃｃｅｓｓ ａｎｄ Ｍｏｂｉｌｉｔｙ Ｍａｎａｇｅｍｅｎｔ Ｆｕｎｃｔｉｏｎ )、セッション管理機能( ＳＭＦ、Ｓｅｓｓｉｏｎ Ｍａｎａｇｅｍｅｎｔ Ｆｕｎｃｔｉｏｎ )、ポリシー制御機能( ＰＣＦ、Ｐｏｌｉｃｙ Ｃｏｎｔｒｏｌ ｆｕｎｃｔｉｏｎ )、アプリケーション機能( ＡＦ、Ａｐｐｌｉｃａｔｉｏｎ Ｆｕｎｃｔｉｏｎ )、認証サーバ機能( ＡＵＳＦ、Ａｕｔｈｅｎｔｉｃａｔｉｏｎ Ｓｅｒｖｅｒ Ｆｕｎｃｔｉｏｎ )、統合データ管理( ＵＤＭ、Ｕｎｉｆｉｅｄ Ｄａｔａ Ｍａｎａｇｅｍｅｎｔ )を含む。
【００６２】
図２に示すように、本発明の実施例に係る４Ｇネットワークシステムに含まれるデバイスは、
端末( ＵＥ、Ｕｓｅｒ Ｅｑｕｉｐｍｅｎｔ )、進化型ユニバーサル地上無線アクセスネットワーク( Ｅ−ＵＴＲＡＮ、Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ )、モビリティ管理機能( ＭＭＥ、Ｍｏｂｉｌｉｔｙ Ｍａｎａｇｅｍｅｎｔ Ｅｎｔｉｔｙ )ネットワーク、サービングＧＰＲＳサポートノード( ＳＧＳＮ、Ｓｅｒｖｉｎｇ ＧＰＲＳ Ｓｕｐｐｏｒｔ Ｎｏｄｅ )、ホーム加入者サーバー( ＨＳＳ、Ｈｏｍｅ Ｓｕｂｓｃｒｉｂｅｒ Ｓｅｒｖｅｒ )、サービングゲートウェイ( Ｓｅｒｖｉｎｇ Ｇａｔｅｗａｙ )、パケットデータゲートウェイ( ＰＤＮ Ｇａｔｅｗａｙ、Ｐａｃｋｅｔ Ｄａｔａ Ｎｅｔｗｏｒｋ Ｇａｔｅｗａｙ )、ポリシー及び課金規則機能部( ＰＣＲＦ、Ｐｏｌｉｃｙ ａｎｄ Ｃｈａｒｇｉｎｇ Ｒｕｌｅｓ Ｆｕｎｃｔｉｏｎ )を含む。
【００６３】
上記図１、図２の例は、本発明の実施例を実現する１つのネットワークアーキテクチャの例に過ぎず、本発明の実施例は、上記図１、図２に記載のネットワーク構成に限定されるものではない。
【００６４】
図３は本発明の実施例におけるデータ伝送方法のフローチャート一であり、図３に示すように、前記データ伝送方法は、以下のステップを含み、
ステップ３０１において、コアネットワーク要素が外部ネットワークにより送信されたデータを受信し、ここで、前記データは、第１のデバイスグループに送信するデータである。
【００６５】
本発明の実施例において、外部ネットワークはＤＮであり、コアネットワーク要素はＡＭＦであってもよい。アクセスネットワーク要素はＲＡＮであり得る。また、第１のデバイスは、１つの端末を含んでもよいし、２つ以上の端末を含んでもよい。
【００６６】
本発明の実施例において、前記コアネットワーク要素が第３の伝送リソースを介して外部ネットワークにより送信されたデータを受信し、ここで、前記第３の伝送リソースが前記第１のデバイスグループの専用伝送リソースである。
【００６７】
ある実施例において、前記外部ネットワークにより送信されたデータには、前記第１のデバイスグループのグループ識別情報又は前記第１のデバイスグループにおける端末識別情報及び／又は端末のＰＤＵセッション情報及び／又は端末のサービス品質情報が含まれる。
【００６８】
ここで、前記データに対応するデバイスグループは、以下の方式によって指示し、
１）前記第３の伝送リソースのリソース属性で、前記データに対応するデバイスグループが前記第１のデバイスグループであることを指示し、又は、
２）前記データに含まれる前記第１のデバイスグループのグループ識別情報で、前記データに対応するデバイスグループが前記第１のデバイスグループであることを示し、又は、前記データに含まれる前記第１のデバイスグループにおける端末識別情報及び／又は端末のＰＤＵセッション情報及び／又は端末のサービス品質情報で、前記データに対応するデバイスグループが前記第１のデバイスグループであることを指示する。
【００６９】
本発明の実施例は５Ｇシステムを例にとって説明するが、図４に示すように、下りのグループデータは、ユーザプレーン経路を通って端末に伝送され、ここでグループデータは、１グループのデバイスに向けて送信されるデータである。
【００７０】
図４のステップ１、２を参照すると、外部ネットワークが第１のデバイスグループにデータを送信する必要がある場合、ＤＮは、データをゲートウェイ( ＧＷ )を介してＡＭＦに送信し、データ送信は、特定のＩＰアドレス、特定のデバイスアドレス、特定のＧＴＰ−Ｕチャネルなどの特定のグループチャネルを介して送信され得る。ある実施例において、ＤＮは、送信されたデータにおいてグループ識別情報を含める。ここで、ＧＷは、選択可能なエンティティデバイスである。
【００７１】
ステップ３０２において、前記アクセスネットワーク要素が第２の伝送リソースを介して前記データを前記第１のデバイスグループにおける端末に送信するように、前記コアネットワーク要素が前記データを第１の伝送リソースを介してアクセスネットワーク要素に送信し、ここで、前記データは、前記コアネットワーク要素、前記アクセスネットワーク要素及び前記端末の間の制御プレーンにおいて伝送される。
【００７２】
本発明の実施例において、前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する。
【００７３】
ここで、前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００７４】
本発明の実施例において、前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する。
【００７５】
ある実施例において、前記コアネットワーク要素が前記第１のデバイスグループのグループ識別情報を前記端末に対応する目標プロトコル層のＰＤＵにカプセル化し、前記ＰＤＵに前記データが含まれることを含む。他の実施例において、前記コアネットワーク要素が前記第１のデバイスグループにおける端末の識別情報及び／又は端末のＰＤＵセッション情報及び／又は端末のサービス品質情報を前記端末に対応する目標プロトコル層のＰＤＵにカプセル化し、前記ＰＤＵに前記データが含まれることを含む。
【００７６】
ここで、前記目標プロトコル層は、ＮＡＳ層、ＡＳ層である。
【００７７】
具体的には、ＡＭＦは、グループ識別情報をＡＭＦとＵＥとのピアツーピアプロトコル層( ＮＡＳ層など)にカプセル化することができ、ＲＡＮ側はグループ識別情報を識別する必要がなく、ＵＥは、ＡＭＦピアツーピアプロトコル層のデータユニットを受信した後、そのデータがどのグループのグループデータであるかを識別することができる。
【００７８】
本発明の実施例において、前記コアネットワーク要素が前記データを第１の伝送リソースを介してアクセスネットワーク要素に送信することは、具体的に、以下のケースを含み、
ケース一として、前記コアネットワーク要素と前記アクセスネットワーク要素との間に前記第１のデバイスグループの専用伝送リソースが存在する場合、前記コアネットワーク要素が前記データを前記専用伝送リソースを介してアクセスネットワーク要素に送信する。
【００７９】
図４のステップ３のように、ＡＭＦは、外部からグループデータを受信すると、ＲＡＮにデータを送信し、ＲＡＮとＡＭＦとの間にグループ専用接続チャネルが存在する場合には、ＡＭＦがそのグループ専用接続チャネル上でＲＡＮにデータを送信する。
【００８０】
ケース二として、前記コアネットワーク要素と前記アクセスネットワーク要素との間に前記第１のデバイスグループの専用伝送リソースが存在しない場合、前記コアネットワーク要素と前記アクセスネットワーク要素との間に前記第１のデバイスグループの専用伝送リソースを確立し、前記コアネットワーク要素が前記データを前記専用伝送リソースを介してアクセスネットワーク要素に送信する。
【００８１】
ある実施例において、前記コアネットワーク要素が前記第１のデバイスグループのグループ情報に基づいて、前記アクセスネットワーク要素との前記第１のデバイスグループの専用伝送リソースを確立する。
【００８２】
ここで、第１のデバイスグループのグループ情報は、ＰＤＵセッション情報、ＱｏＳフロー情報、ＱｏＳ情報、コアネットワークアドレス情報、グループ識別情報、ＩＰチャネル、ＧＴＰチャネルのうちの少なくとも１つを含む。
【００８３】
図４のステップ３のように、ＲＡＮとＡＭＦとの間にグループ専用接続チャネルがない場合、ＡＭＦは、ＲＡＮにグループデータ伝送要求メッセージを送信し、ＲＡＮとの間にグループ専用接続チャネルを確立する。
【００８４】
ケース三として、前記コアネットワーク要素と前記アクセスネットワーク要素との間に共通伝送リソースが存在する場合、前記コアネットワーク要素が前記データを前記共通伝送リソースを介してアクセスネットワーク要素に送信し、ここで、前記データには、前記第１のデバイスグループのグループ識別情報又は第１のデバイスグループにおける端末の識別情報及び／又は端末のＰＤＵセッション情報及び／又は端末のサービス品質情報が含まれる。
【００８５】
ある実施例において、前記コアネットワーク要素と前記アクセスネットワーク要素との間に前記第１のデバイスグループの専用伝送リソースが存在せず、共通伝送リソースが存在する場合、前記コアネットワーク要素が前記データを前記共通伝送リソースを介してアクセスネットワーク要素に送信する。
【００８６】
図４のステップ３のように、ＲＡＮとＡＭＦとの間にグループ専用接続チャネルがない場合、ＡＭＦは共通接続チャネルを介してＲＡＮにデータを送信し、ＡＭＦはＲＡＮにデータを送信する際にグループ識別情報を含める。
【００８７】
ある実施例では、ＡＭＦは、ＲＡＮとＡＭＦとの間のプロトコル形式でデータをカプセル化し、例えば、データをＮＡＳ ＰＤＵとしてカプセル化することができる。
【００８８】
図５は本発明の実施例におけるデータ伝送方法のフローチャート二であり、図５に示すように、前記データ伝送方法は、以下のステップを含み、
ステップ５０１において、アクセスネットワーク要素が第１の伝送リソースを介してコアネットワーク要素により送信されたデータを受信し、ここで、前記データは、第１のデバイスグループに送信するデータである。
【００８９】
本発明の実施例において、コアネットワーク要素は、ＡＭＦであってもよい。アクセスネットワーク要素は、ＲＡＮであってもよい。
【００９０】
本発明の実施例において、アクセスネットワーク要素とコアネットワーク要素との間の伝送リソースを第１の伝送リソースと言い、アクセスネットワーク要素と端末との伝送リソースを第２の伝送リソースと言う。
【００９１】
本発明の実施例において、前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する。
【００９２】
ここで、前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【００９３】
本発明の実施例において、前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する。
【００９４】
ステップ５０２において、前記アクセスネットワーク要素が第２の伝送リソースを介して前記データを前記第１のデバイスグループにおける端末に送信し、ここで、前記データは、前記コアネットワーク要素、前記アクセスネットワーク要素及び前記端末の間の制御プレーンにおいて伝送される。
【００９５】
本発明の実施例において、第２の伝送リソースが前記第１のデバイスグループの専用伝送リソースであるかどうかに基づいて、以下のデータ伝送方式を有し、
１）前記アクセスネットワーク要素と前記端末との間に前記第１のデバイスグループの専用伝送リソースが存在する場合、前記アクセスネットワーク要素が前記専用伝送リソースを介して前記データを前記第１のデバイスグループにおける端末に送信する。
【００９６】
２）前記アクセスネットワーク要素と前記端末との間に共通伝送リソースが存在する場合、前記アクセスネットワーク要素が前記共通伝送リソースを介して前記データを前記第１のデバイスグループにおける端末に送信し、ここで、前記データには、前記第１のデバイスグループのグループ識別情報又は第１のデバイスグループにおける端末の識別情報及び／又は端末のＰＤＵセッション情報及び／又は端末のサービス品質情報が含まれる。
【００９７】
図４のステップ４のように、ＲＡＮがＡＭＦにより送信されたデータを受信した後、ＲＡＮは、ＲＡＮとＵＥとの間のプロトコル層フォーマットに従ってをデータ(例えば、ＮＡＳ ＰＤＵ )カプセル化し、例えば、ＲＲＣ ＰＤＵとしてカプセル化する。専用物理リソース、専用物理層識別子、専用論理チャネル、専用ベアラ、専用ＱｏＳフロー等のような、ＲＡＮとＵＥとの間にグループ専用接続チャネルが存在する場合に、ＲＡＮは、グループ専用接続チャネルにおいてＵＥにデータを送信する。ＲＡＮとＵＥとの間にグループ専用接続チャネルがない場合、ＲＡＮは、共通接続チャネルを介してデータを伝送しながらグループ識別情報を含める。
【００９８】
図６は本発明の実施例におけるデータ伝送方法のフローチャート三であり、図６に示すように、前記データ伝送方法は、以下のステップを含み、
ステップ６０１において、端末が第２の伝送リソースを介してアクセスネットワーク要素により送信されたデータを受信し、ここで、前記データは、第１のデバイスグループに送信するデータである。
【００９９】
ステップ６０２において、前記端末が、前記データに対応するデバイスグループが前記第１のデバイスグループであることを識別し、ここで、前記データは、前記アクセスネットワーク要素と前記端末との制御プレーンにおいて伝送される。
【０１００】
本発明の実施例において、前記端末が前記第１のデバイスグループに属する場合、前記データを処理し、前記端末が前記第１のデバイスグループに属しない場合、前記データを廃棄する。
【０１０１】
本発明の実施例において、前記端末が、前記データに対応するデバイスグループが前記第１のデバイスグループであることを識別することは、以下の方式で行い
方式一として、前記第２の伝送リソースが専用伝送リソースである場合、前記端末が前記第２の伝送リソースのリソース属性で前記データに対応するデバイスグループが前記第１のデバイスグループであることを識別する。
【０１０２】
ここで、前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１０３】
方式二として、前記第２の伝送リソースが共通伝送リソースである場合、前記端末が前記データに含まれる前記第１のデバイスグループのグループ識別情報で前記データに対応するデバイスグループが前記第１のデバイスグループであることを識別し、又は、前記データに含まれる前記第１のデバイスグループにおける端末の識別情報及び／又は端末のプロトコルデータユニットＰＤＵセッション情報及び／又は端末のサービス品質情報で、前記データに対応するデバイスグループが前記第１のデバイスグループであることを識別する。
【０１０４】
図７は本発明の実施例におけるデータ伝送装置の構成の模式図一であり、本実施例におけるデータ伝送装置がコアネットワーク要素に応用され、前記装置は、受信ユニット７０１及び送信ユニット７０２を含み、
受信ユニット７０１は、外部ネットワークにより送信されたデータを受信するように構成され、ここで、前記データは、第１のデバイスグループに送信するデータであり、
送信ユニット７０２は、前記アクセスネットワーク要素が第２の伝送リソースを介して前記データを前記第１のデバイスグループにおける端末に送信するように、前記データを第１の伝送リソースを介してアクセスネットワーク要素に送信するように構成され、
ここで、前記データは、前記コアネットワーク要素、前記アクセスネットワーク要素及び前記端末の間の制御プレーンにおいて伝送される。
【０１０５】
ある実施例において、前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する。
【０１０６】
ある実施例において、前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１０７】
ある実施例において、前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する。
【０１０８】
ある実施例において、前記装置がさらにカプセルユニット７０３を含み、
カプセルユニット７０３は、前記第１のデバイスグループのグループ識別情報を前記端末に対応する目標プロトコル層のＰＤＵにカプセル化するように構成され、前記ＰＤＵに前記データが含まれる。
【０１０９】
ある実施例において、前記装置がさらにカプセルユニット７０３を含み、
カプセルユニット７０３は、前記第１のデバイスグループにおける端末の識別情報及び／又は端末のＰＤＵセッション情報及び／又は端末のサービス品質情報を前記端末に対応する目標プロトコル層のＰＤＵにカプセル化するように構成され、前記ＰＤＵに前記データが含まれる。
【０１１０】
ある実施例において、前記目標プロトコル層は、ＮＡＳ層、ＡＳ層である。
【０１１１】
ある実施例において、前記受信ユニット７０１は、第３の伝送リソースを介して外部ネットワークにより送信されたデータを受信するように構成され、ここで、前記第３の伝送リソースが前記第１のデバイスグループの専用伝送リソースである。
【０１１２】
ある実施例において、前記外部ネットワークにより送信されたデータには、前記第１のデバイスグループのグループ識別情報又は前記第１のデバイスグループにおける端末識別情報及び／又は端末のＰＤＵセッション情報及び／又は端末のサービス品質情報が含まれる。
【０１１３】
ある実施例において、前記第３の伝送リソースのリソース属性で前記データに対応するデバイスグループが前記第１のデバイスグループであることを指示し、又は、
前記データに含まれる前記第１のデバイスグループのグループ識別情報で前記データに対応するデバイスグループが前記第１のデバイスグループであることを示し、又は、前記データに含まれる前記第１のデバイスグループにおける端末識別情報及び／又は端末のＰＤＵセッション情報及び／又は端末のサービス品質情報で前記データに対応するデバイスグループが前記第１のデバイスグループであることを指示する。
【０１１４】
ある実施例において、前記コアネットワーク要素と前記アクセスネットワーク要素との間に前記第１のデバイスグループの専用伝送リソースが存在する場合、前記送信ユニット７０２が前記データを前記専用伝送リソースを介してアクセスネットワーク要素に送信する。
【０１１５】
ある実施例において、前記装置がさらに確立ユニット７０４を含み、
確立ユニット７０４は、前記コアネットワーク要素と前記アクセスネットワーク要素との間に前記第１のデバイスグループの専用伝送リソースが存在しない場合、前記アクセスネットワーク要素と前記第１のデバイスグループの専用伝送リソースを確立するように構成され、
前記送信ユニット７０２は、前記データを前記専用伝送リソースを介してアクセスネットワーク要素に送信するように構成される。
【０１１６】
ある実施例において、前記確立ユニット７０４は、前記第１のデバイスグループのグループ情報に基づいて、前記アクセスネットワーク要素との前記第１のデバイスグループの専用伝送リソースを確立するように構成される。
【０１１７】
ある実施例において、第１のデバイスグループのグループ情報は、ＰＤＵセッション情報、ＱｏＳフロー情報、ＱｏＳ情報、コアネットワークアドレス情報、グループ識別情報、ＩＰチャネル、ＧＴＰチャネルのうちの少なくとも１つを含む。
【０１１８】
ある実施例において、前記コアネットワーク要素と前記アクセスネットワーク要素との間に共通伝送リソースが存在する場合、前記送信ユニット７０２は、前記データを前記共通伝送リソースを介してアクセスネットワーク要素に送信し、ここで、前記データには、前記第１のデバイスグループのグループ識別情報又は第１のデバイスグループにおける端末の識別情報及び／又は端末のＰＤＵセッション情報及び／又は端末のサービス品質情報が含まれる。
【０１１９】
ある実施例において、前記コアネットワーク要素と前記アクセスネットワーク要素との間に前記第１のデバイスグループの専用伝送リソースが存在せず、共通伝送リソースが存在する場合、前記送信ユニット７０２は、前記データを前記共通伝送リソースを介してアクセスネットワーク要素に送信する。
【０１２０】
図７に示したデータ伝送装置の各ユニットの実現機能は、上記データ伝送方法の説明を参酌して理解されるべきである。図７に示すデータ伝送装置における各ユニットの機能は、プロセッサ上で動作するプログラムによって実現されてもよいし、具体的な論理回路によって実現されてもよい。
【０１２１】
図８は本発明の実施例におけるデータ伝送装置の構成の模式図二であり、この実施例におけるデータ伝送装置がアクセスネットワーク要素に応用され、前記装置は、受信ユニット８０１及び送信ユニット８０２を含み、
受信ユニット８０１は、第１の伝送リソースを介してコアネットワーク要素により送信されたデータを受信するように構成され、ここで、前記データは、第１のデバイスグループに送信するデータであり、
送信ユニット８０２は、第２の伝送リソースを介して前記データを前記第１のデバイスグループにおける端末に送信するように構成され、
ここで、前記データは、前記コアネットワーク要素、前記アクセスネットワーク要素及び前記端末の間の制御プレーンにおいて伝送される。
【０１２２】
ある実施例において、前記第１の伝送リソース及び／又は前記第２の伝送リソースが前記第１のデバイスグループの専用伝送リソースである場合、前記第１の伝送リソース及び／又は前記第２の伝送リソースのリソース属性で前記データに対応するデバイスグループが前記第１のデバイスグループであることを指示する。
【０１２３】
ある実施例において、前記第１の伝送リソース及び／又は前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１２４】
ある実施例において、前記第１の伝送リソース及び／又は前記第２の伝送リソースが共通伝送リソースである場合、前記データを伝送する時に前記第１のデバイスグループのグループ識別情報を含めて前記データに対応するデバイスグループが前記第１のデバイスグループであることを指示し、又は、前記データを伝送する時に前記第１のデバイスグループにおける端末の識別情報及び／又は端末のプロトコルデータユニットＰＤＵセッション情報及び／又は端末のサービス品質情報を含めて前記データに対応するデバイスグループが前記第１のデバイスグループであることを指示する。
【０１２５】
ある実施例において、前記アクセスネットワーク要素と前記端末との間に前記第１のデバイスグループの専用伝送リソースが存在する場合、前記送信ユニット８０２は前記専用伝送リソースを介して前記データを前記第１のデバイスグループにおける端末に送信する。
【０１２６】
ある実施例において、前記アクセスネットワーク要素と前記端末との間に共通伝送リソースが存在する場合、前記送信ユニット８０２は、前記共通伝送リソースを介して前記データを前記第１のデバイスグループにおける端末に送信し、ここで、前記データには、前記第１のデバイスグループのグループ識別情報又は第１のデバイスグループにおける端末の識別情報及び／又は端末のＰＤＵセッション情報及び／又は端末のサービス品質情報が含まれる。
【０１２７】
図８に示したデータ伝送装置の各ユニットの実現機能は、上記データ伝送方法の説明を参酌して理解されるべきである。図８に示すデータ伝送装置における各ユニットの機能は、プロセッサ上で動作するプログラムによって実現されてもよいし、具体的な論理回路によって実現されてもよい。
【０１２８】
図９は本発明の実施例におけるデータ伝送装置の構成の模式図三であり、この実施例におけるデータ伝送装置が端末に応用され、前記装置は、受信ユニット９０１及び識別ユニット９０２を含み、
受信ユニット９０１は、第２の伝送リソースを介してアクセスネットワーク要素により送信されたデータを受信するように構成され、ここで、前記データは、第１のデバイスグループに送信するデータであり、
識別ユニット９０２は、前記データに対応するデバイスグループが前記第１のデバイスグループであることを識別するように構成され、
ここで、前記データは、前記アクセスネットワーク要素と前記端末との制御プレーンにおいて伝送される。
【０１２９】
ある実施例において、前記第２の伝送リソースが専用伝送リソースである場合、前記識別ユニット９０２は前記第２の伝送リソースのリソース属性で、前記データに対応するデバイスグループが前記第１のデバイスグループであることを識別する。
【０１３０】
ある実施例において、前記第２の伝送リソースは、物理層識別子、論理チャネル、ベアラ、ＱｏＳフロー、ＰＤＵセッション、ＩＰチャネル、ＧＴＰチャネルのうちの少なくとも１つのリソース属性を有する。
【０１３１】
ある実施例において、前記第２の伝送リソースが共通伝送リソースである場合、前記識別ユニット９０２は、前記データに含まれる前記第１のデバイスグループのグループ識別情報で、前記データに対応するデバイスグループが前記第１のデバイスグループであることを識別し、又は、前記データに含まれる前記第１のデバイスグループにおける端末の識別情報及び／又は端末のプロトコルデータユニットＰＤＵセッション情報及び／又は端末のサービス品質情報で、前記データに対応するデバイスグループが前記第１のデバイスグループであることを識別する。
【０１３２】
図９に示したデータ伝送装置の各ユニットの実現機能は、上記データ伝送方法の説明を参酌して理解されるべきである。図９に示すデータ伝送装置における各ユニットの機能は、プロセッサ上で動作するプログラムによって実現されてもよいし、具体的な論理回路によって実現されてもよい。
【０１３３】
本発明の実施例に係る上記データ伝送装置は、ソフトウェア機能ブロックの形で実現され、独立した製品として販売または使用される場合には、コンピュータ読み取り可能な記憶媒体に記憶されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施例は、ハードウェアとソフトウェアのいかなる組み合わせにも限定されない。
【０１３４】
従って、本発明の実施例は、プロセッサによって実行されたときに本発明の実施例の上述のデータ伝送方法を実現するコンピュータ実行可能命令を記憶したコンピュータ記憶媒体をさらに提供する。
【０１３５】
図１０は、本発明の実施例に係るコンピュータデバイスの構成を示す図であり、このコンピュータデバイスは端末であってもネットワーク装置であってもよい。図１０に示すように、コンピュータデバイス１００は、１つ又は複数の(図面には１つのみ示す)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図１０に示す構成は、例示であり、上述した電子装置の構成に限定されないことは、当業者に理解されるところである。例えば、コンピュータデバイス１００は、図１０に示された構成よりも多いか少ない構成要素をさらに含んでもよく、又は図１０に示された構成とは異なる構成を有してもよい。
【０１３６】
メモリ１００４は、本発明の実施例における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１３７】
伝送装置１００６は、ネットワークを介してデータを送受信するための装置である。上記のネットワークの具体例は、コンピュータ装置１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０１３８】
本発明の実施例に記載した技術的手段は、矛盾なき限り、任意に組み合わせることができる。
【０１３９】
本発明によって提供されるいくつかの実施例において、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１４０】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよい、また、本実施例の目的を達成する手段の一部又は全部を、必要に応じて選択することができる。
【０１４１】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい。上記の統合されたユニットは、ハードウェアの形態で実現されてもよいし、ハードウェア及びソフトウェア機能ユニットの形態で実現されてもよい。
【０１４２】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021510043.tif 000003
【図２】
2021510043.tif 000004
【図３】
2021510043.tif 000005
【図４】
2021510043.tif 000006
【図５】
2021510043.tif 000007
【図６】
2021510043.tif 000008
【図７】
2021510043.tif 000009
【図８】
2021510043.tif 000010
【図９】
2021510043.tif 000011
【図１０】
2021510043.tif 000012
【国際調査報告】
2021510043.tif 000013
2021510043.tif 000014
2021510043.tif 000015
2021510043.tif 000016